(57)【特許請求の範囲】
【請求項１】
壁面に備えた室内外を連通する円筒状の風洞に室内側から挿入される本体と、前記本体内部に外気を取り入れて室内に給気する給気経路及び給気ファンモータと、前記本体の室内側に前記風洞の直径より大となる前面パネルと、外気を吹き出す給気口を備え、前記給気口から吹き出される吹出気流の風向を変更できる複数の板状のルーバーを備え、前記ルーバーは回転軸と前記回転軸周りに外部に向かって湾曲する湾曲部を備え、前記風洞の中心部から外側に向かって開口するように構成し、前記給気口は前記前面パネルの上下に分割して配置し、前記給気経路を流れる気流の方向を外側に向かって屈曲させた後に前記ルーバーの前記湾曲部に沿って気流を付着させるようにし、
本体内部には外気温度を測定する外気温度測定手段と、室内温度を測定する室内温度測定手段を備え、人体に外気温度の気流を暴露した際に感じる温熱感を演算する演算部を備え、条件により前記ルーバーを可動させて吹出気流の風向の制御を行う制御手段を備え、前記外気温度測定手段により測定した外気温度が定められた基準温度以上で、且つ外気温度が前記室内温度測定手段により測定した室内温度より低いときを涼感条件とし、涼感条件で且つ前記演算部により演算された演算値が所定の値以上の場合に、前記ルーバーにより前記給気口から吹き出される吹出気流の風向を床面方向とし、前記演算部により演算された演算値が設定値未満の場合は吹出気流の風向を天井面方向とする換気装置。
【発明の詳細な説明】
【技術分野】
【０００１】
本発明は、居室等の室内環境を換気装置により２４時間常時換気を行う換気装置に関するものである。
【背景技術】
【０００２】
従来、この種の換気装置は、住宅の壁面に取り付けて給気を行うことにより、住宅内外の空気を入れ替えて換気を行うものが知られている。
【０００３】
以下、その換気装置の一例について図を参照しながら説明する。
【０００４】
図に示すように、室内外を連通する風洞１０１に設けた本体１０２と、室外の空気を吸い込み、室内へ給気する給気羽根車１０３及び給気電動機１０４と、本体１０２に室内側から装着され、風洞１０１を覆う前面グリル１０５と、前面グリル１０５の給気羽根車１０３と対向する面に空気を吹き出す複数の給気口１０６を備えることにより、室外の空気を室内に向かって吹き出す構成となっている。
【特許文献１】特開２０００−２６６３８３号公報
【発明の開示】
【発明が解決しようとする課題】
【０００５】
このような従来の換気装置では、室内へ吹き出す吹出気流の風向を変更できず、且つ吹出気流が周囲の空気抵抗により減衰しやすく、遠方まで気流を到達させることができないため、人体に気流感を与えて快適性を得ることができないという課題がある。具体的には、給気羽根車が回転することにより発生させた気流を直接室内へ吹き出す構成となっているため、吹出気流の風向を変更できず、且つ吹き出される気流の全周囲が室内の空気と接触するため、速度を有する吹出気流が静止した室内の空気によって抵抗を受ける面積が多く、空気抵抗により吹出気流の速度が減衰しやすいため、吹出気流を遠方まで届けられない。
【０００６】
本発明は、このような従来の課題を解決するものであり、吹出気流の風向を変更でき、且つ吹出気流に直進性を持たせ、より遠方まで気流を到達させることで人体に気流を当てて快適性が得られる換気装置を提供することを目的としている。
【課題を解決するための手段】
【０００７】
本発明の換気装置は、上記目標を達成するために、壁面に備えた室内外を連通する円筒状の風洞に室内側から挿入される本体と、本体内部に外気を取り入れて室内に給気する給気経路及び給気ファンモータと、本体の室内側に風洞の直径より大となる前面パネルと、外気を吹き出す給気口を備え、給気口から吹き出される吹出気流の風向を変更できる複数の板状のルーバーを備え、ルーバーは回転軸と回転軸周りに外部に向かって湾曲する湾曲部を備え、風洞の中心部から外側に向かって開口するように構成し、給気口は前面パネルの上下に分割して配置し、給気経路を流れる気流の方向を外側に向かって屈曲させた後にルーバーの湾曲部に沿って気流を付着させるようにし、本体内部には外気温度を測定する外気温度測定手段と、室内温度を測定する室内温度測定手段を備え、人体に外気温度の気流を暴露した際に感じる温熱感を演算する演算部を備え、条件により前記ルーバーを可動させて吹出気流の風向の制御を行う制御手段を備え、前記外気温度測定手段により測定した外気温度が定められた基準温度以上で、且つ外気温度が前記室内温度測定手段により測定した室内温度より低いときを涼感条件とし、涼感条件で且つ前記演算部により演算された演算値が所定の値以上の場合に、前記ルーバーにより前記給気口から吹き出される吹出気流の風向を床面方向とし、前記演算部により演算された演算値が設定値未満の場合は吹出気流の風向を天井面方向とするものである。
【０００８】
この手段により吹出気流の風向を変更でき、且つ吹出気流に直進性を持たせてより遠方まで気流を到達させることができる換気装置が得られる。
【発明の効果】
【００２１】
本発明によれば、必要に応じて人体に適度な気流を与えて涼感を得ることで快適性が得られという効果がある。
【発明を実施するための最良の形態】
【００２６】
本発明の請求項１記載の発明は、壁面に備えた室内外を連通する円筒状の風洞に室内側から挿入される本体と、本体内部に外気を取り入れて室内に給気する給気経路及び給気ファンモータと、本体の室内側に風洞の直径より大となる前面パネルと、外気を吹き出す給気口を備え、給気口から吹き出される吹出気流の風向を変更できる複数の板状のルーバーを備え、ルーバーは回転軸と回転軸周りに外部に向かって湾曲する湾曲部を備え、風洞の中心部から外側に向かって開口するように構成し、給気口は前面パネルの上下に分割して配置し、給気経路を流れる気流の方向を外側に向かって屈曲させた後にルーバーの湾曲部に沿って気流を付着させたものであり、ルーバーを可動させることにより容易に気流の風向を変更でき、且つ前面パネルの上下に分割した給気口から吹き出した吹出気流を合流させ、速度を有する吹出気流と静止した室内の空気との接触を少なくして摩擦による抵抗を受けにくくすることで、スポット的な吹出気流となって直進性を持たせられ、吹出気流を遠方まで到達させることができるという作用を有する。また、本体内部には外気温度を測定する外気温度測定手段と、室内温度を測定する室内温度測定手段を備え、人体に外気温度の気流を暴露した際に感じる温熱感を演算する演算部を備え、条件によりルーバーを可動させて吹出気流の風向の制御を行う制御手段を備え、外気温度測定手段により測定した外気温度が定められた基準温度以上で、且つ外気温度が室内温度測定手段により測定した室内温度より低いときを涼感条件とし、涼感条件で且つ演算部により演算された演算値が所定の値以上の場合に、ルーバーにより給気口から吹き出される吹出気流の風向を床面方向とし、演算部により演算された演算値が設定値未満の場合は吹出気流の風向を天井面方向とするものであり、居住者が涼しいと感じる場合は床面方向の気流により居住者に気流を当てて涼風感を得ることができ、また居住者が寒さを感じる場合は吹出気流を天井面方向にすることにより居住者に直接気流風を当てることがないという作用を有する。
【００３９】
以下、本発明の実施の形態について図面を参照しながら説明する。
【００４０】
（実施の形態１）
図１は換気装置の構成を示す側面断面図、図２は換気装置の構成を示す分解斜視図、図３（ａ〜ｃ）は換気装置のルーバーの気流制御の状態を示す側面断面図であり、図１から図３を示して換気装置の構成を説明する。
【００４１】
図１に示すように、一例として、住宅の壁面に室内外を連通するように設けられた貫通穴１に風洞２としての例えば塩ビパイプ（ＶＵ管呼び径１５０相当）が設置され、換気装置は、室内側から風洞２に挿入して室内側壁面に設置されている。
【００４２】
換気装置は、一例として、給気ファンモータ３を構成する例えばプロペラ形の給気ファン４と、給気モータ５としてのＡＣコンデンサモータ及び、排気ファンモータ６を構成する例えばプロペラ形の排気ファン７と、排気モータ８としてのＡＣコンデンサモータを設けて同時に給気と排気を行う構成となっている。
【００４３】
換気装置の本体９は、外径を風洞の内径に対して２〜１０ｍｍ小さくした外管１０と、外管の内側に直径約８０ｍｍ相当の内管１１を持つ二重管で構成され、外管１０の室内側端面には風洞２を覆うフランジ部１２が形成されており、フランジ部１２から壁面にビス止めして固定されている。
【００４４】
排気ファン７は、内管１１の内側を排気風路１３として排気風路１３内に設けられ、排気ファン７の直径は内管１１の内径に対して３ｍｍ程度のクリアランスを設けている。
【００４５】
給気ファン４は、排気ファン７の室外側で且つ直列となるように配置し、内管１１の外側を給気風路１４として給気風路１４内に設けられ、給気ファン４の直径は外管１０の内径に対して３ｍｍ程度のクリアランスを設けている。
【００４６】
また、給気ファン４の一部には内管１１の直径相当とした円筒状のボス部１５を備え、ボス部１５の内周側は軸方向に連通する空洞とすることで、給気モータ８により給気ファン４を回転させてもボス部１５の内周側は排気の空気を通過させつつ、給気を行うことができる構成となっている。
【００４７】
図２に示すように、給気モータ５は制御手段１６（例えば制御回路）によって一時的に回転数を増加させることができる構成となっている。
【００４８】
本体９のフランジ部１２にはフランジ部１２全体を覆う前面パネル１７が着脱可能に取り付けられ、前面パネル１７には排気風路１３に連通し、室内の空気を取り込む排気口１８と、給気風路１４に連通し、外気を室内に吹き出す給気口１９と常時給気口２０を設けている。
【００４９】
ここで、一例として給気口１９を排気口１８の上下に配置して横長形状とし、給気口１９の設置位置を外管１０の直径に対して外側寄りに配置することで、給気風路１４を流れる気流を、上下に屈曲させた後に給気口１９から吹き出すように構成している。
【００５０】
さらに、それぞれの給気口１９の近傍には壁面と平行で且つ水平方向に回転軸２１を持つルーバー２２を設け、ルーバー２２は前面パネル１７の中央から外側に向かってスイング動作可能としている。
【００５１】
また、ルーバー２２の形状は外部に向かって湾曲する湾曲部２３を設けた板状とし、給気風路１４を流れる気流が屈曲した後、湾曲部２３に気流を付着させるように構成している。
【００５２】
これにより、図１に示すように上下の給気口１９から吹き出される気流を合流させるように構成できる。したがって、通常、速度を有する吹出気流の前周囲が静止した室内の空気と接触して摩擦による抵抗を受け、吹出気流の速度が減衰していくところを、吹出気流を合流させることにより、上下それぞれの吹出気流のほぼ半周囲が合流部分となり、合流部分は、静止した室内の空気抵抗を受けないため速度が減衰しにくく、直進性のある吹出気流となり、室内のより遠方まで気流を送ることができる。
【００５３】
ここで、ルーバー２２の可動状況を表す指標として可動角を用い、ルーバー２２の可動角の可変領域を０°〜１００°で示し、給気口１９を全閉させた状態の可動角を０°、全開させた状態の可動角１００°として以下に気流の風向変更について説明する。
【００５４】
図３（ａ）に示すように前面パネル１７の上部のルーバー２２の可動角をほぼ１００°とし、前面パネル１７の下部のルーバー２２の可動角を５０°以下とすることで吹出気流を上部に向けて天井面方向に制御し、逆に、図３（ｂ）に示すように前面パネル１７の上部のルーバー２２の可動角を５０°以下とし、前面パネル１７の下部のルーバー２２の可動角をほぼ１００°とすることで、吹出気流を床面方向に制御することができる。
【００５５】
また、図３（ｃ）に示すように、前面パネル１７の上部と下部のルーバー２２の可動角を共にほぼ１００°とすることで、前面パネル１７の上部の給気口１９からは天井面方向の気流を吹き出し、前面パネル１７の下部の給気口１９からは床面方向の気流を吹き出すようにすることも可能である。
【００５６】
ここで、給気口１９を排気口１８の上下に配置したのは、ルーバー２２を上下にスイングさせて吹出気流を上下方向に変更する構成を簡易に実現するためである。これは、給気風路１４に屈曲を持たせるべく給気口１９の設置位置を外管１０の直径に対して外側寄りに配置しているため、給気口１９を排気口１８の左右に配置した場合、給気風路１４を流れる気流は左右に屈曲するため、ルーバー２２の形状は気流を付着させるための湾曲部２３を設けた垂直方向の面と、且つ上下に風向を変更するための水平方向の面を設置する必要があり、実現は可能であるが複雑な構成となる。
【００５７】
またここで、ルーバー２２に湾曲部２３を備えたのは、湾曲部２３に付着した気流の風向をルーバー２２によって変更する際に、気流と湾曲部２３の境界面２４で発生する気流の剥離現象を抑制するためである。剥離現象は、気流が境界面２４から遠ざかる際に境界面２４近傍に微細な渦が発生し、気流の流速が減衰するという影響があるため、気流をより遠方まで到達させるためには、剥離現象を抑制して気流の流速をできるだけ落とさずに吹き出すことが重要となる。しかしながら、剥離現象を抑制する湾曲部２３の大きさを決定することは困難であるが、一つの指標として、湾曲部２３の半径Ｒは、湾曲部２３の垂直方向の給気風路１４の高さｈに対して少なくとも同等以上であり、望ましくは２〜３倍とすることで吹出気流の方向を緩やかに変更し、吹出気流が持つエネルギーの損失を極力小さくすることができる。
【００５８】
また、ルーバー２２によって給気口１９を開閉可能とし、回転軸２１にルーバー駆動モータ２５（例えばステッピングモータ）を連結し、制御手段１６により給気口１９から吹き出される吹出気流の風向を変更し、且つ給気口１９の開閉を電気的に制御できる構成としている。
【００５９】
また、常時給気口２０は前面パネル１７の側面に設け、ルーバー２２により給気口１９を閉塞した場合は常時給気口２０から壁面と平行な方向に気流を吹き出すように構成している。
【００６０】
また、外気温度を測定する外気温度測定手段２６（例えば温度検知サーミスタ）を給気風路１４内に設け、室内温度を測定する室内温度測定手段２７（例えば温度検知サーミスタ）を排気風路１３内に設けて外気温度と室内温度を測定できる構成としている。
【００６１】
また、制御手段１６には、外気温度測定手段２６によって測定した外気温度の気流を人体に暴露した際に感じる温熱感を演算する演算部２８（例えばマイコン）を備え、また、室内温度測定手段２７によって測定した室内温度を記憶する記憶手段２９（例えばメモリ）を備えている。
【００６２】
また、前面パネル１７には人体の活動量を推定する活動量推定手段３０としての照度検知手段３１（例えば照度センサ）と、人体検知手段３２（例えば赤外線センサ）を備えている。
【００６３】
よって換気装置は、室内外を２４時間換気する常時換気として、給気と排気を同時に行う際は、ルーバー２２を閉じることにより給気口１９を閉塞して常時給気口２０のみを使用して給気し、室内温度と外気温度が涼感条件となった場合は、臨時給気としてルーバー２２を開いて給気口１９を開口するとともに給気量を増加させ、直進性の高い気流を室内に吹き出すように運転条件の切り替えを可能としている。
【００６４】
ここで、涼感条件として一例を示すと、外気温度の定められた基準温度を２０℃とし、外気温度が室内温度より低い場合とすることで、夏の夜間に涼しい外気を取り入れるようにしたものであり、基準温度を２０℃としたのは、冬期など冷たい外気を入れたくない時期を除外するためである。
【００６５】
上記構成により、常時換気は室内の容積に対して１時間当たり０．５回以上の換気量を確保することで、室内にある有害物質（例えばホルムアルデヒド）を室外に排出して、居住する人の健康を維持することができ、涼感条件の際には給気量を増加させることで室温を下げるとともに、ルーバー２２により吹出気流の風向を制御して且つ吹出気流に直進性を持たせることで、室内の隅々まで外気を行き渡せられ、在室者が遠方に居た場合であっても気流を当てて涼感を与えることができるため、快適性を得ることができる。
【００６６】
以下より、図４から図８に換気装置の動作フローと室内の気流の状態を示しながら、涼感条件の際に行う換気装置の動作について説明する。
【００６７】
図４に示すように、外気温度によって人体に対する温熱感を演算する演算部２８により温熱感を演算する演算方法の一例として、ＰＭＶ（Ｐｒｅｄｉｃｔｅｄ  Ｍｅａｎ  Ｖｏｔｅ，平均予測申告）を用いる方法があり、演算結果はＰＭＶ＝−２〜＋２までの数値で表され、ＰＭＶ＝０が快適であり、マイナスとなるにつれて寒い側、プラスとなるにつれて暑い側の温熱感として評価される。
【００６８】
また、ＰＭＶを演算する際に必要な気流の風速は、人体に到達した際の風速で演算するため、人体に到達した際の風速を予測する必要がある。人体に到達する風速を正確に把握することは困難であるため、一例として、給気口１９の出口近傍の風速が２ｍ／ｓとし、人体までの距離を３ｍ（正方形の６畳間の１辺当たりの距離相当）と仮定すると、距離減衰により人体に到達する際の風速が０．３ｍ／ｓ程度となるため、演算に用いる風速をあらかじめ０．３ｍ／ｓと仮定して設定してもよい。
【００６９】
よって、室内に給気する外気温度と吹出気流の風速からＰＭＶを演算し、一例として、ＰＭＶの快適範囲が０．５＜ＰＭＶ＜−０．５と想定されるため、所定の値を−０．５とし、ＰＭＶ＜−０．５の場合は、吹出気流を天井面方向として人体に直接当てないように制御し、ＰＭＶ＞−０．５の場合は、吹出気流を床面方向として人体に当てるようにして涼感を得るようにすることができ、室内環境をより快適にすることができる。また、ＰＭＶが０．５を超える場合であっても、涼感条件の際は導入する外気温度よりも室内温度が高いため、人体に外気温度の気流を当てることにより涼感を得ることができる。
【００７０】
また、ＰＭＶによって人体の温熱感を演算する際に、人体の活動量（ｍｅｔで表される）を推定する活動量推定手段３０によって得られた活動量を重み付けして演算することにより、より正確に温熱感を算出することができる。これは、活動量によって人体から発生する発熱量が変化するため、同じ温熱環境であっても人体が感じる温熱感が変化し、快適と感じる温熱環境が異なるためである。例えば、室温が２８℃である場合、人体として成人男性が掃除を行っている場合の活動量は２ｍｅｔとなり、その際のＰＭＶは約１．７となり暑いと感じるが、就寝している場合の活動量は０．８ｍｅｔとなり、その際のＰＭＶは約０．１となり、快適に近い温熱感となる。
【００７１】
したがって、温熱感を評価する場合には、人体の活動量を考慮することが望ましい。
【００７２】
ここで、前面パネル１７に設置した活動量推定手段３０としての照度検知手段３１により、一例として昼間や照明によって室内が明るい場合には、人体は活動していると推定して１．５ｍｅｔ（軽作業程度の活動）とし、室内が暗い場合は、人体は就寝していると推定して０．８ｍｅｔ（就寝時）としてＰＭＶを演算する際に重み付けをしても良い。
【００７３】
また、前面パネル１７に設置した活動量推定手段３０としての人体検知手段３２により、人体の位置を検知し、位置変化を読み取る一例として、１０秒間毎に位置を検知し、１分間当たりの移動量として６回の位置情報のうち位置が変化した回数を読み取り、４回以上異なっている場合は２．５ｍｅｔ（家事相当の活動）と判断し、２回以上４回未満の場合は１．５ｍｅｔ（軽作業程度の活動）とし、１回の場合は１ｍｅｔ（安静時の活動）とし、変化していない場合は０．８ｍｅｔ（就寝時）としてＰＭＶを演算する際に重み付けを行うことで、より詳細に活動量を推定することができる。
【００７４】
また、図５に示すように人体検知手段３２により、人体を検知した時には温熱感を演算して吹出気流を床面方向もしくは天井面方向に気流を制御し、人体を検知しない場合は、図６に示すように上部の給気口１９からは天井面方向に気流を吹き出し、下部の給気口１９からは床面方向に気流を吹き出すことにより、天井面付近を流れる気流と床面付近を流れる気流によって室内を循環する２つの気流を発生させ、外気と室内の空気を効率よく混じり合わせることで室内の温度上昇を抑制することができる。
【００７５】
また、図７（ａ）に示すように、ルーバー２２により吹出気流を天井面方向に吹き出したまま、気流が安定するまでの一定時間として３０〜６０分間継続した場合、室内の気流は天井面から床面を環状に流れる気流となり、換気装置の周囲には床面付近の空気が集まるため、室内温度測定手段２７によって床面付近の空気の温度を測定することができる。
【００７６】
また、図７（ｂ）に示すように、吹出気流を床面方向に吹き出したまま、気流が安定するまでの一定時間として３０〜６０分間継続した場合は、床面から天井面を環状に流れる気流となり、室内温度測定手段２７によって天井面付近の空気の温度を測定することができる。ここで、一般的に、暖かい空気は上昇気流により天井面付近に溜まり易く、冷たい空気は床面付近に集まるため、吹出気流の風向を変えることによって室内の温度ムラを把握することができる。
【００７７】
したがって、室内温度測定手段２７により測定した室内温度を記憶手段２９により記憶し、人体を検知しない場合、前面パネル１７の上部のルーバー２２の開度をほぼ１００％とし、前面パネル１７の下部のルーバー２２の開度を５０％以下とすることで吹出気流を上部に向けて一定時間吹出気流を天井面に向かって吹き出した後に、室内温度を測定して記憶させ、次に前面パネル１７の上部のルーバー２２の開度を５０％以下とし、前面パネル１７の下部のルーバー２２の開度をほぼ１００％とすることで、吹出気流を床面方向に切り替えて一定時間吹き出した後に、室内温度を測定して前回の測定値との温度差を演算部２８によって演算し、所定の温度以上として、例えば温度差３℃以上の場合に吹出気流を天井面方向とすることで、暖かい空気が溜まった天井付近に温度の低い外気を送ることによって温度を下げ、室内の温度ムラを低減することによって室内の環境をより快適な状態を維持することができる。
【００７８】
また、室内温度測定手段２７により室内温度を一定時間としての例えば室内の気流が安定するまでの３０〜６０分毎に測定して記憶手段２９に記憶させるようにし、室内温度が前回測定した室内温度以上となった場合には、給気量を増加させる構成としたものであり、例えば外気温度が２５℃で室内温度が２７℃であり、室内の人体が成人で活動量がｍｅｔ＝０．８（就寝時）である場合、給気量は約６０ｍ3／ｈとすることで人体からの発熱量と外気導入による熱取得量の収支が合うため、室内温度の上昇が抑えられる。したがって、給気量が約６０ｍ3／ｈ以下であった場合は、一定時間後に測定した室内温度が２７℃より上昇し、給気量を約６０ｍ3／ｈまで増加させることで室内温度を２７℃に保つことができ、室内の温度上昇を抑制することで室内を快適にすることができる。ここで、給気量を増加させる際に、給気モータ５を例えばＤＣモータとすることで、無段階に回転数を変化させることができ、より細かな給気量の制御をする構成としても良い。
【００７９】
また、臨時給気の際はルーバー２２を動作させて給気口１９を開口した後に給気量を増加させることで、ルーバー２２の可動開始時の微小隙間に空気が流れる時に生じる風切音を抑制することができる。
【００８０】
また、本発明の実施の形態１は、例えばドアの下部にアンダーカット等の開口を設けることで換気量を確保することが可能であれば、給気のみを行う換気装置としても同様の効果を得ることができる。
【００８１】
以上、本発明の実施の形態１により、吹出気流に直進性を持たせてより遠方まで気流を到達させることで、人体に気流感を与えて快適性を得ることができ、また、温熱感や温度ムラによって風向を変更することにより、より快適な室内環境にできる換気装置が得られる。
【００８２】
（参考の形態１）
本発明の参考の形態１は、実施の形態１と同一部分については同一番号を付し、詳細な説明は省略する。
【００８３】
本発明の参考の形態１は、図９に示すように、前面パネル１７の外観に給気量の目安を表示する表示部３３（例えばインジケータ）を設置し、給気量の目安を表示することにより、在室者に外気を室内に積極的に導入していることを認知させ、エアコンなどの空調機の運転を停止させる動機付けに結び付けることで省エネルギー化を図ることができる。
【００８４】
また、居住者が直接操作できる高さにスイッチ３４を設置し、スイッチ３４により切状態とすれば給気ファンモータ３の回転を停止させ、排気ファンモータ６のみが作動する状態とすることができる。これにより、室内の空気を排気のみ行うことで屋外よりも室内を負圧となるようにして給気風路１４を通過して自然に給気されるようにで、排気のみで換気することができるため、省エネルギーとすることができる。さらに、涼風条件となった場合でもルーバー２２が可動することがないため、ルーバー駆動モータ２５が動作せず、電気エネルギーを消費することがなく、省エネルギーとなる。これは、例えば居住者が長期間不在である場合などに使用すると効果的である。
【００８５】
以上、本発明の参考の形態１により、外気による冷房作用を認知させて、居住者に空調機による冷房負荷を低減させる動機付けを図り、また、不在時には給気ファンモータ３及びルーバー駆動モータ２５を動作させないようにできるため、省エネルギー化を図ることができる。
【００８６】
（参考の形態２）
本発明の参考の形態２は、実施の形態１及び参考の形態１と同一部分については同一番号を付し、詳細な説明は省略する。
【００８７】
本発明の参考の形態２は、図１０の換気装置の分解斜視図に示すように、制御手段１６は前面パネル１７の内部に収められ、風洞２より外側で且つ前面パネル１７の側面に配置して、給気風路１４及び排気風路１３の断面積を狭めない構成とし、ルーバー駆動モータ２５を制御手段１６に近い側面に配置することで、制御手段１６とルーバー駆動モータ２５を同一の制御ボックス３５としての密閉された樹脂製のボックスに収めることができるため、それぞれに制御ボックス３５を設ける必要が無く、部品点数を削減することができる。さらに、電装品をすっきり収めることで居住者が前面パネル１７を取り外して本体を清掃する際に、清掃しやすいという効果がある。
【産業上の利用可能性】
【００８８】
壁面に設置されて気流を吹き出す換気装置や送風装置、また、冷暖房を行う空気調和機に適用できる。
【図面の簡単な説明】
【００８９】
【図１】本発明の実施の形態１の換気装置の構成を示す側面断面図
【図２】同換気装置の構成を示す分解斜視図
【図３】（ａ）〜（ｃ）同換気装置のルーバーの気流制御の状態を示す側面断面図
【図４】同温熱感により吹出気流の風向を決定するフロー図
【図５】同人体検知により吹出気流の風向を決定するフロー図
【図６】同吹出気流を天井面及び床面方向とした場合の室内の気流の状態を示す断面図
【図７】（ａ）同吹出気流を天井面方向とした場合の室内の気流の状態を示す断面図、（ｂ）同吹出気流を床面方向とした場合の室内の気流の状態を示す断面図
【図８】同温度ムラにより吹出気流の風向を決定するフロー図
【図９】本発明の参考の形態１の同換気装置の外観を示す斜視図
【図１０】本発明の参考の形態２の換気装置の制御ボックスを示す分解斜視図
【図１１】従来の換気装置の一例を示す断面図
【符号の説明】
【００９０】
２    風洞
３    給気ファンモータ
６    排気ファンモータ
９    本体
１３  排気風路
１４  給気風路
１６  制御手段
１７  前面パネル
１８  排気口
１９  給気口
２０  常時給気口
２１  回転軸
２２  ルーバー
２３  湾曲部
２５  ルーバー駆動モータ
２６  外気温度測定手段
２７  室内温度測定手段
２８  演算部
２９  記憶手段
３０  活動量推定手段
３１  照度検知手段
３２  人体検知手段
３３  表示部
３４  スイッチ
３５  制御ボックス
【図１】
0005223384.tif 000002
【図２】
0005223384.tif 000003
【図３】
0005223384.tif 000004
【図４】
0005223384.tif 000005
【図５】
0005223384.tif 000006
【図６】
0005223384.tif 000007
【図７】
0005223384.tif 000008
【図８】
0005223384.tif 000009
【図９】
0005223384.tif 000010
【図１０】
0005223384.tif 000011
【図１１】
0005223384.tif 000012